(57)【特許請求の範囲】
【請求項１】
電話ネットワークを介して、データをプリンタデータに変換するアクセス手段へ結合される端末であって、前記端末は、
電話ネットワークに結合される回線インタフェース、
前記回線インタフェースに結合されるプロセッサ、
前記プロセッサに結合される端末メモリ、及び
前記回線インタフェースに結合され及びプリンタに結合されるプリンタコネクタ
を含み、更に、
前記電話ネットワークを介してアクセス手段へ変換命令を伝達する命令コードを生成する生成手段と、
前記アクセス手段によってどのデータがプリンタデータへ変換されるべきかを定義する手段と、
前記電話ネットワークを介して、前記アクセス手段へ、変換されるべきデータを送信する手段と、
前記電話ネットワークを介して、前記アクセス手段からプリンタデータを受信し、前記プリンタデータをプリンタコネクタへ転送する手段
を含むことを特徴とする端末。
【発明の詳細な説明】
【０００１】
【発明の属する技術分野】
本発明は、
電話ネットワークを介して、
前記電話ネットワークに結合される回線インタフェース、
前記回線インタフェースに結合されるプロセッサ、
前記プロセッサに結合される端末メモリ、及び
前記回線インタフェースに結合されプリンタに結合されるプリンタコネクタ
を含む端末と、
前記電話ネットワークに結合される少なくとも一つのアクセスポイント、及びデータコネクションを介して前記アクセスポイントに結合される、少なくとも一つのサーバ
を含むアクセス手段との間でデータを交換するシステムに関する。
【０００２】
【従来の技術】
前記端末が例えばパーソナルコンピュータで、前記アクセス手段が例えばアクセスプロバイダおよびサービスプロバイダによって形成され、前記電話ネットワークが例えばアナログまたはＩＳＤＮネットワークであるこのようなシステムは一般に知られている。前記回線インタフェースは例えばモデムカードまたはＩＳＤＮボードを含み、前記端末メモリは例えばハードディスクドライブまたはフロッピーディスクドライブあるいはその両方を含む。今日のハードディスクおよびフロッピーディスクは大容量のため、プリンタを駆動するソフトウェア（通常のデータをプリンタに適したプリンタデータへ変換するいわゆるプリンタドライバ）が一般に前記ディスクの一つにインストールされている。
【０００３】
【発明が解決しようとする課題】
このシステムはとりわけ、前記ソフトウェアが前記端末をあまりに占有するために不利である。
【０００４】
本発明の目的はとりわけ、プリアンブルで規定されるシステムを提供することであり、これにより前記プリンタが前記ソフトウェアによって占有されることがより少なくなる。
【０００５】
【課題を解決するための手段】
本発明によるシステムはその目的のため、アクセス手段が、
データをプリンタデータに変換する変換手段を含み、
端末が、
電話ネットワークを介して前記プリンタコネクタに到着する前記プリンタデータを交換する交換手段を含むことを特徴とする。
【０００６】
前記変換手段をアクセス手段内に配置するか、言い換えると、例えばプリンタドライバをサーバメモリにインストールし、前記交換手段を端末に導入して、好ましくは透過的に、電話ネットワークからプリンタコネクタへ送信される前記プリンタデータを交換することで、アクセス手段はデータ印刷の制御を行う。
【０００７】
本発明はとりわけ、相互にネットワークに結合された二つのプロセッサのうちの一つがあまりにもビジー状態であるかメモリ容量が十分でない場合、このプロセッサの機能を他方のプロセッサへ移行できるという知見に基づいている。
【０００８】
本発明はとりわけ、プリンタドライバをサーバ内に配置することで端末機能を削減し前記端末がより小さいメモリを備えることを可能にするという課題を解決し、メモリは完全に非機械式なものであってよい。
【０００９】
本発明によるシステムの第一の実施形態は前記端末が前記アクセス手段へ送信されどのデータをプリンタデータに変換するかを規定する命令コードを生成する生成手段を含むことを特徴とする。
【００１０】
前記命令コードを送信することによって、前記端末のユーザは例えばディスプレイのどの部分を印刷するかを指示できる。
【００１１】
本発明によるシステムの第二の実施形態は前記アクセス手段が前記プリンタのアドレスを規定するプリンタコードを生成する生成手段をさらに含むことを特徴とする。
【００１２】
前記プリンタコードを生成することによって、例えば前記命令コードに応答して、またはユーザ識別等に応答して、あるいはその両方に応答して、アクセス手段はプリンタデータをどのプリンタへどの端末を介して送信するか指示できる。この結果、印刷機能を端末とアクセス手段の間の他の通信からさらに切り離すことができる。
【００１３】
本発明はさらに電話ネットワークを介して、
前記電話ネットワークに結合される回線インタフェース、
前記回線インタフェースに結合されるプロセッサ、
前記プロセッサに結合される端末メモリ、及び
前記回線インタフェースに結合されプリンタに結合されるプリンタコネクタ
を含む端末とデータを交換し、
前記電話ネットワークに結合される少なくとも一つのアクセスポイント、及びデータコネクションを介して前記アクセスポイントに結合される少なくとも一つのサーバ
を含むアクセス手段に関する。
【００１４】
本発明によるアクセス手段はアクセス手段がデータをプリンタデータに変換する変換手段を含むことを特徴とする。
【００１５】
本発明によるアクセス手段の第一の実施形態は前記アクセス手段が前記プリンタのアドレスを規定するプリンタコードを生成する生成手段をさらに含むことを特徴とする。
【００１６】
本発明はさらに電話ネットワークを介して、
前記電話ネットワークに結合される少なくとも一つのアクセスポイント、及びデータコネクションを介して前記アクセスポイントに結合される少なくとも一つのサーバ
を含むアクセス手段との間でデータを交換し、
前記電話ネットワークに結合される回線インタフェース、
前記回線インタフェースに結合されるプロセッサ、
前記プロセッサに結合される端末メモリ、及び
前記回線インタフェースに結合されプリンタに結合されるプリンタコネクタ
を含む端末に関する。
【００１７】
本発明による端末は端末が、
電話ネットワークを介して到着し、データをプリンタデータに変換した前記サーバから前記プリンタコネクタへ発信される前記プリンタデータを交換する交換手段
を含むことを特徴とする。
【００１８】
本発明による端末の第一の実施形態は前記端末が、
前記アクセス手段へ送信されどのデータをプリンタデータに変換するかを規定する命令コードを生成する生成手段を含むことを特徴とする。
【００１９】
前記参照に関して、または前記参照内あるいはその両方で引用されるさらなる参照を含むすべての参照はこの特許出願に組み込まれると考えられる。
【００２０】
【発明の実施の形態】
本発明を図面に開示された実施形態の助けを借りて詳述する。
【００２１】
図１に開示される本発明によるシステムは、電話回線２を介して電話ネットワーク３に結合された本発明による端末１と、電話回線４を介して前記電話ネットワーク３に結合された本発明によるアクセス手段５を含む。前記電話ネットワーク３はネットワークプロセッサ４２によって制御されネットワークメモリ４３に結合された交換機４１を含む。
【００２２】
図２に開示される本発明による端末１は、前記電話回線２に結合され、バス３１を介してプロセッサ１２と端末メモリ１３および１４とプリンタインタフェース１５とに結合され、コネクション３２を介して電話手段１６（マイクロフォン、スピーカなど）に結合された回線インタフェース１１を含む。プロセッサ１２はさらにコネクション３３を介して電話手段１６に、コネクション３４を介してディスプレイ１７に、コネクション３５を介してキーボードインタフェース１８にさらに結合され、キーボードインタフェース１８はコネクション３６を介してディスプレイ１７に、コネクション３７を介して電話キーボード１９に、コネクション３８を介して英数字キーボード２０に、コネクション３９を介してモジュール２１に結合される。プリンタインタフェース１５はコネクション７を介してプリンタ６に結合される。
【００２３】
図３に開示されるアクセス手段５は電話回線４を介して電話ネットワーク３に結合されたネットワークインタフェース５２と、コネクション７１を介してネットワークインタフェース５２に、コネクション７２を介してデータインタフェース５４に結合されたプロセッサ５３を備えたアクセスポイント５１を含み、データインタフェース５４はデータコネクション７３に結合される。アクセス手段５はデータコネクション７３と、バス７４を介してプロセッサ６３、変換手段６４、判定手段６５、およびサーバメモリ６６に結合されたデータインタフェース６２を備えたサーバ６１をさらに含む。
【００２４】
図２に開示される端末１および図３に開示されるアクセス手段５を含む図１に開示されるシステムは以下のように機能する。
【００２５】
すべての目的に使用できる前に端末１はインストレーションデータを備える必要がある。これは少なくとも三つの可能性にしたがって行われる。
【００２６】
第一の可能性によれば、ユーザは電話キーボード１９を介して所定の電話番号をダイヤルし、その電話番号はコネクション３７、キーボードインタフェース１８、コネクション３５、プロセッサ１２、バス３１、回線インタフェース１１および電話回線２を介して、端末１がアナログ端末の場合はデュアルトーンマルチフリーケンシー（ＤＴＭＦ）信号として、端末１がサービス総合ディジタル網（ＩＳＤＮ）端末の場合はディジタル信号として、電話ネットワーク３に送信される（これによって例えばＩＳＤＮ端末のＤＴＭＦでの後ダイヤリングのような両方の種類の信号の混合が除外されてはならない）。これに応答して、電話ネットワーク３はネットワークプロセッサ４２の制御下で電話回線２を電話回線４に接続し、アクセスポイント５１で電話回線４はネットワークインタフェース５２およびプロセッサ５３およびデータインタフェース５４を介してデータコネクション７３に結合され、データコネクション７３はサーバ６１内でデータインタフェース６２およびバス７４を介してサーバメモリ６６に結合され、サーバメモリ６６はプロセッサ６３の制御下でインストレーションデータを端末１へ送信する（自動的に、または端末１から発信されるインストレーションコマンドに応答して）。このインストレーションデータは例えば、アクセスポイントのアドレスを規定する少なくとも一つのアクセスコードとサーバアドレスおよびソフトウェアまたはコマンドあるいはその両方のアドレスを規定する少なくとも一つのサーバコードなどを含む。このインストレーションデータは端末メモリ１３または端末メモリ１４に記憶されるか、端末メモリ１３および１４を介して分配される。代替形態として電話回線２が少なくとも図示されていない他の一つのアクセスポイントまたは図示されていない他の一つのサーバを含む他のアクセス手段に接続されるか、電話回線２が前記インストレーションデータを受信するだけのためにネットワークメモリ４３にだけ接続されることも可能である。
【００２７】
第二の可能性によれば、前記インストレーションデータの少なくとも一部がサーバ６１から端末１へ送信されないが、英数字キーボード２０を使ってユーザによって端末１に供給される。
【００２８】
第三の可能性によれば、前記インストレーションデータの少なくとも一部がサーバ６１から端末１へ送信されず、英数字キーボード２０を使ってユーザによって端末１に供給もされないが、カード読み取り装置である端末メモリ１４に（スマート）カードを挿入してユーザによって端末１に供給される。
【００２９】
前記の三つの可能性を組み合わせることができるのは当然で、これによって例えば（スマート）カードの挿入が前記電話番号のダイアリングをトリガしてこれに取って代わることができる。インストレーションデータを端末１にロードする代わりに、インストレーションデータの少なくとも一部またはすべてを端末メモリ１３および１４にあらかじめ記憶しておくことができる。これは製造段階で実現できる。
【００３０】
端末１に記憶する、またはすでに記憶されたインストレーションデータが例えばユーザが好みのアクセスポイントおよびサーバを選択できるべきだということによりユーザに依存する場合、第一の可能性を用いるならば複数の異なる電話番号を用いることができ、電話番号が一つの場合には複数の異なるインストレーションコマンドを用いることができ、第三の可能性を用いるならば（スマート）カードを個別化する必要がある。このため、一般に少なくとも一つのアクセスコードまたは少なくとも一つのサーバコードあるいはその両方を選択する必要があり（製造段階で、またはユーザに一定の（スマート）カードまたは一定の命令あるいはその両方を与えることで販売段階で、またはユーザによるインストレーション段階で）、その後、選択したアクセスコードおよびサーバコードを所定のサイズと価格を備えた端末１のために好ましくは非機械式の前記端末メモリ１３（ＲＯＭ、ＲＡＭなど）および１４（カード読み取り装置）の少なくとも一つに記憶する必要がある。
【００３１】
例えばアクセスポイントのアドレスを規定する少なくとも一つのアクセスコードおよびサーバアドレスのアドレスを規定する少なくとも一つのサーバコードおよびソフトウェアまたはコマンドあるいはその両方を含む前記インストレーションデータのきわめてユーザフレンドリな方法での前記記憶によって、端末１を例えばパーソナルコンピュータの平均的なユーザよりも熟練度が低いユーザも使用できる。前記記憶の後で、例えば一つのコマンドだけが、または前記キーボード１９および２０の一つのあるキーだけで、例えばインターネットにアクセスしてｅメールメッセージのようなデータを送信し、またはサーバメモリ６６に記憶されたｅメールメッセージのような受信データを閲覧する、あるいはその両方を行うのに十分である。
【００３２】
スマートカードの使用はキー信号および計算手段を前記スマートカード上に記憶する可能性を提供する。これらの計算手段はチャレンジ信号および前記キー信号に応答して応答信号を計算し、その後に前記応答信号はバス３１、回線インタフェース１１、電話回線２、電話ネットワーク３、電話回線４、アクセスポイント５１、データコネクション７３、データインタフェース６２、およびバス７４を介してサーバ６１内の判定手段６５へ送信される。判定手段６５はスマートカードから発信された前記の計算された応答信号が正しいかどうかを例えば同じ計算を行って結果を比較することで判定する。前記チャレンジ信号の生成は生成手段８２を含むプロセッサ６３によって実現でき、その後で前記チャレンジ信号は端末１へ送信される必要がある、または生成手段２２を含むプロセッサ１２によって実現でき、その後で前記チャレンジは前記の計算された応答と共にまたは別個にサーバ６１へ送信される必要がある。前記スマートカードは、ＰＩＮコード（個人識別番号）が正しい場合に限って前記計算手段が起動される前記ＰＩＮコードを受信するための受信手段をさらに備えることができる。これによってスマートカードおよび前記スマートカードを含む端末の認可されていない使用が不可能になる。一般に、スマートカードの使用で個人情報をカードに記憶でき、これによって一般情報が端末に記憶でき、その結果として前記スマートカードの挿入後に限って端末が個別化される。ＰＩＮコードを受信する前記受信手段は端末１内部に配置することができ、またはそれぞれの可能な端末機能または前記アクセス手段５へのそれぞれの可能なアクセスあるいはその両方を禁止または許可するために用いることができ、あるいはその両方も可能であることは当然である。前記スマートカードは支払機能またはＧＳＭ機能あるいはその両方をさらに備えることが可能で、例えば交換する一定のデータを例えば前記キー信号を使って暗号化または復号化するために用いることができる。この場合、アクセス手段５は暗号化／復号化装置を備える必要がある。
【００３３】
図１に開示されるシステムは各ユーザをさまざまな方法で個別に扱う能力がある。
【００３４】
第一の方法によれば、端末１のユーザは、アクセス手段５が例えば端末１からユーザ依存コードを受信する受信手段８３と、独自の画面レイアウトを規定する構成パラメータを記憶する構成メモリ８４を含むプロセッサ６３のようなユーザ依存の方法で端末１へ送信されるデータを処理する処理手段をすでに備えているということによって、ディスプレイ１７にユーザ独自の画面レイアウトを表示することができる。端末１のユーザがデータを受信するためにアクセス手段５と交信すると、例えばユーザが前記キーボード１９および２０の少なくとも一つを介してその識別またはアドレスあるいはその両方を生成したためか、例えばその識別またはアドレスあるいはその両方が前記スマートカードに記憶され前記スマートカードが挿入されると自動的に（おそらく正しいＰＩＮコードの受信後に）読み出されるためか、例えば端末１の電話番号が電話ネットワーク３に知られ、コネクションが確立するとアクセス手段５に自動的に供給されるために、ユーザの識別またはアドレスあるいはその両方がアクセス手段５に知られる。この識別またはアドレスあるいはその両方は受信手段８３によって受信され、それに応答して構成メモリ８４が読み出され、このユーザに属する構成パラメータはユーザが独自の画面レイアウトを表示できるようにデータを構成するのに用いられる。前記識別またはアドレスあるいはその両方の代わりに、前記キーボード１９および２０の少なくとも一つでユーザによって生成されるかまたは前記スマートカードに記憶される、あるいはその両方の特殊コードを用いることもできる。
【００３５】
第二の方法によれば、端末１のユーザがｅメールメッセージのようなデータを受信するためにアクセス手段５と交信した場合、前記ユーザが概要を確認するためのタイトルおよびそれぞれのｅメールメッセージの送信者のアドレスなどの前記データの一部しか受信しないことは興味深い、または端末メモリ１３が前記データの全体の内容を含めるには小さすぎるために端末１への前記データの一部だけを送信する必要がある、あるいはその両方である。これは少なくともその一つが端末に宛てたデータを部分的に送信する必要があること、またおそらくはどの部分を送信するかを示す前記識別、アドレス、または特殊コードのいずれか又はそれらの組合せを用いて実現できる。さらなる部分を受信する場合、ユーザは例えば前記受信手段８３によって受信されるさらなるコードを生成して送信するか、前記のさらなるコードが例えばある時間間隔が経過した後で端末１またはアクセス手段５で自動的に生成される。さらなるコードがユーザによって生成される場合、短いコマンドであるか、例えば前記キーボード１９および２０のいずれかのキーであってもよい。もちろん、例えば前記特殊コードが例えばサーバメモリ６６内に（一時的に）記憶され、その結果端末１が前記データの所定の部分だけを自動的に受信する可能性を除外すべきではない。
【００３６】
図１に開示されるシステムは、自己トリガ機構のために動作を開始できる。この自己トリガ機構は配置された端末１（プリング）またはアクセス手段５（プッシング）内にある。
【００３７】
アクセス手段５に配置された自己トリガ機構８５の場合、例えばプロセッサ６３の一部を構成し、以下のように機能する。
【００３８】
端末１とアクセス手段５の間にコネクションがなく、例えばサーバ６１が例えば新しい天気予報などのサーバメモリ６６に記憶する新しい情報を受信すると、自己トリガ機構８５の一部を構成する比較器が新しい情報に属するコードを端末１に属し例えばサーバメモリ６６に記憶されるコードと比較し、両者が等しい場合に端末１にそれを通知するか、自己トリガ機構８５の一部を形成するクロックが端末１に属しサーバメモリ６６に記憶される前記コードのおそらく参照後のある瞬間に端末１に通知することを決定する。いずれの場合も、例えば端末１のアドレスまたは電話番号を含む表示信号がプロセッサ６３の一部を構成する生成手段８６によって生成される。この表示信号はバス７４、データインタフェース６２、データコネクション７３、アクセスポイント５１および電話回線４を介して電話ネットワーク３に供給される。次に電話ネットワーク３はこの表示信号をユーザ端末がアナログ端末の場合は発信番号表示（呼の第一の呼び出し信号と第二の呼び出し信号がある場合にその間に送信される）の形式で、またＩＳＤＮ端末の場合はＤチャネルを介して端末１へ送信する。端末１は、プロセッサ１２の一部を構成し、電話回線２、回線インタフェース１１およびバス３１を介して前記表示信号（の一部）を受信し、その後前記表示信号がディスプレイ１７を介して表示され、それによってユーザに新しい情報のサーバへの到着を通知する受信手段２３を含む。端末１が前記表示信号の受信後に応答して端末メモリ１３に記憶される前記の新しい情報を自動的に受信するためのデータコネクションを確立する自動接続機構をさらに備えることができることは当然である。
【００３９】
例えばプロセッサ１２の一部を構成する生成手段２４を介して端末１とアクセス手段５の間にコネクションが存在する場合、端末１は更新コードをアクセス手段５へ送信し、それによってサーバ６１内で自己トリガ機構８５の一部を構成する比較器がこの更新コードをサーバメモリ６６に記憶されたコードと比較し、例えば両者が等しくない場合に、サーバ６１が端末１にソフトウェア更新情報を送信することを決定するか、サーバ６１内で自己トリガ機構８５の一部を構成するクロックが端末１に属する前記更新コードのおそらく参照後のある瞬間に端末１にソフトウェア更新情報を送信することを決定する。いずれの場合も、例えばサーバメモリ６６に記憶されたソフトウェア更新情報は例えば端末１に前記更新をどうするか（例えばどの古い部分を差し替えるか）を通知する更新信号と共に端末１へ送信される。
【００４０】
自己トリガ機構２５が端末１内にある場合、この機構は例えばプロセッサ１２の一部を構成し、以下のように機能する。
【００４１】
端末１とアクセス手段５の間に例えばプロセッサ６３の一部を構成する生成手段８７を介してコネクションが存在する場合、サーバ６１は更新コードを端末１へ送信し、それによって端末１内で自己トリガ機構２５の一部を構成する比較器がこの更新コードを端末メモリ１３に記憶されたコードと比較し、例えば両者が等しくない場合に端末１はソフトウェア更新情報を入手することを決定するか、端末１内で自己トリガ機構２５の一部を構成するクロックがサーバ６１から発信される前記更新コードのおそらく参照後のある瞬間に端末１へソフトウェア更新情報を通知することを決定する。いずれの場合も、例えばサーバメモリ６６に記憶されたソフトウェア更新情報は例えば端末１に前記更新をどうするか（例えばどの古い部分を差し替えるか）を通知する更新信号と共に端末１へ送信される。
【００４２】
端末１とアクセス手段５の間にコネクションが存在しない場合、例えば前記自己トリガ機構２５の制御下で例えば前記自動接続機構を用いて自動的に前記の新しい情報などを受信するためにデータコネクションを自動的に確立できる。
【００４３】
きわめて有利な実施形態によれば、第一の自己トリガ機構（ハードウェアまたはソフトウェアあるいはその両方の形態）はアクセス手段５内のどこかに配置され、第一の自己トリガ機構は結果的にソフトウェアを端末１へ送信し、ソフトウェアは端末１に記憶された後で例えば端末１内に記憶されたすべてのソフトウェアを調査し、どのソフトウェアを差し替えるか決定し、その差し替えを行うことで第二の自己トリガ機構として機能する。
【００４４】
図１に開示したシステムを使って、端末１のユーザは電話メッセージ、ファックスメッセージおよびデータメッセージなどの閲覧待ちの異なる種類のすべてのメッセージの概要を確認できる。これを実現するため、電話回線４、アクセスポイント５１、データコネクション７３、データインタフェース６２およびバス７４または図示されていない別のコネクションを介して例えばネットワークメモリ４３とサーバメモリ６６が結合される。概要をサーバメモリ６６に記憶するには、ネットワークメモリ４３はサーバ６１へ情報を送信する必要があり、概要をネットワークメモリ４３に記憶する必要がある場合は、サーバメモリ６６は電話ネットワーク３へ情報を送信する必要がある。いずれの場合も前記情報の送信は前述の自己トリガ機構または自動接続機構あるいはその両方によって実施できる。
【００４５】
例えば端末メモリ１３がサーバ６１のアドレスを規定するサーバコード（またおそらくはアクセスポイント５１のアドレスを規定するアクセスコード）を含み、例えばすべてのメッセージの概要が必要であることを規定した概要コードを含む場合、端末１のユーザは例えば両方のキーボード１９および２０の少なくとも一方を介して一つのキーを押すか短いコマンドを入力するだけでこの概要をきわめてユーザフレンドリな方法で入手でき、その後で端末１はサーバ６１に接続され、サーバメモリ６６は例えばディスプレイ１７を介してこの概要を表示するために前記概要を端末１へ送信する。
【００４６】
前記ユーザがイニシアチブをとる代わりに、例えばサーバ６１が例えばネットワークメモリ４３に記憶された電話またはファックスメッセージあるいはその両方に関して、または例えばサーバメモリ６６に記憶するデータメッセージのような、サーバメモリ６６に記憶する新しい情報を受信する場合、自己トリガ機構８５の一部を構成する比較器が新しい情報に属する第一および第二のコードを端末１に属し例えばサーバメモリ６６に記憶された第一および第二のコード（例えば第一のコードが新しい情報が端末１に宛てられ、第二のコードが例えば新しい情報に関して端末１に通知されているかまたはされていないかを示す）と比較し、これらがそれぞれ等しい場合と等しくない場合に端末１に通知することを決定するか、自己トリガ機構８５の一部を構成するクロックが端末１に属しサーバメモリ６６に記憶された前記コードのおそらく参照後に端末１に通知することを決定する。いずれの場合も、例えば端末１のアドレスまたは電話番号（端末コード）を含む表示信号がプロセッサ６３の一部を構成する生成手段８６によって生成される。この表示信号はバス７４、データインタフェース６２、データコネクション７３、アクセスポイント５１および電話回線４を介して電話ネットワーク３に供給される。次に電話ネットワーク３はこの表示信号を端末１がアナログ端末の場合は発信番号表示（呼の第一の呼び出し信号と第二の呼び出し信号がある場合にその間に送信される）の形式で、またＩＳＤＮ端末の場合はＤチャネルを介して端末１へ送信する。端末１は、プロセッサ１２の一部を構成し、電話回線２、回線インタフェース１１およびバス３１を介して前記表示信号（の一部）を受信し、その後前記表示信号がディスプレイ１７を介して表示され、それによってユーザに新しい情報のサーバへの到着を通知する受信手段２３を含む。端末１が前記表示信号の受信後に応答して端末メモリ１３に記憶される前記の新しい情報を自動的に受信するためのデータコネクションを確立する自動接続機構をさらに備えることができることは当然である。
【００４７】
図１に開示されたシステムはコネクション７を介してプリンタ６に接続された端末１と通信する機能をさらに備える。これに対して、例えばサーバ６１内のプロセッサ６３は印刷するデータをプリンタデータに変換する変換手段６４と、端末１から発信されどのデータを変換するかを指示する命令コードを受信する受信手段８８と、前記プリンタ６のアドレスを規定するプリンタコードを生成する生成手段８９を備える。端末１内のプロセッサ１２は例えばサーバ６１宛ての前記命令コードを生成する生成手段２６と、サーバ６１から発信される前記プリンタコードを受信する受信手段２７を備える。一般に、端末１を用いるユーザはデータを印刷する時期を決定する。十分なメモリ容量があり、印刷するデータをソフトウェアプリンタドライバを使ってプリンタデータに変換することが可能なパーソナルコンピュータと比べ、端末１は所定のサイズと価格を備えているためメモリ容量が小さい。このようなソフトウェアプリンタドライバが端末１のメモリ領域を占有しすぎることを防止するため、例えばこのようなソフトウェアドライバを含む変換手段６４がサーバ６１内に配置される。ユーザは前記キーボード１９および２０の少なくとも一方を介して端末１に一定のデータの印刷を命じ、生成手段２６が前記命令コードを生成し、前記命令コードはバス３１、回線インタフェース１１、電話回線２、ネットワーク３、電話回線４、アクセスポイント５１、データコネクション７３、データインタフェース６２およびバス７４経由でプロセッサ６３へ送信され、前記プロセッサ内で受信手段８８が前記命令コードを受信し、前記の一定のデータがプリンタデータに変換されるような方法でサーバメモリ６６と変換手段６４を制御する。前記プリンタデータは次にバス７４、データインタフェース６２、データコネクション７３、アクセスポイント５１、電話回線４、ネットワーク３および電話回線２を介して端末１へ返送される。端末１で前記プリンタデータはバス３１を介して回線インタフェース１１からプリンタインタフェース１５へ送信され、次にコネクション７を介してプリンタ６に供給される。したがって、プリンタインタフェースは前記ソフトウェアプリンタドライバを含む必要はなく、一般にハードウェアプリンタドライバだけを含む。
【００４８】
端末１で、回線インタフェース１１、バス３１、およびプリンタインタフェース１５がプロセッサ１２を通さずに前記プリンタデータを交換する交換手段を共に形成する。例えば生成手段８９によって生成され、例えば前記プリンタデータが送信される（すぐ）前にサーバ６１から端末１へ送信される前記プリンタコードを用いてプロセッサ１２に前記プリンタデータのために透過モードにする必要があることを通知することができる。前記命令コードは例えばサーバ６１の情報が過負荷になることを防止するため、一般に前記プリンタ６の識別、アドレス、種類、または商標あるいはそれらの組合せを含むことができる。
【００４９】
前記アクセスポイント５１は少なくとも電話ネットワーク３またはサーバ６１あるいはその両方と完全にまたは一部統合することができるのは当然である。さらに、端末１内、アクセスポイント５１内、およびサーバ６１内で部品を完全または一部統合することができる。
【００５０】
さらに、上述のすべての実施形態または可能性あるいはその両方をさらなる発明概念を備えた新しい実施形態または可能性あるいはその両方と組み合わせることもできる。
【図面の簡単な説明】
【図１】  本発明による端末と本発明によるアクセス手段を含む本発明によるシステムを開示した図である。
【図２】  アクセス手段との間でデータを交換する本発明による端末を開示した図である。
【図３】  端末との間でデータを交換する本発明によるアクセス手段を開示した図である。
【符号の説明】
１  端末
２、４  電話回線
３  電話ネットワーク
５  アクセス手段
６  プリンタ
７  コネクション
１１  回線インタフェース
１２、５３、６３  プロセッサ
１３、１４  端末メモリ
１５  プリンタインタフェース
１６  電話手段
１７  ディスプレイ
１８  キーボードインタフェース
１９  電話キーボード
２０  英数字キーボード
２１  モジュール
２２、２４、２６、８２、８６、８７、８９  生成手段
２３、２７、８３、８８  受信手段
２５  自己トリガ機構
３１  バス
３２、３３、３４、３５、３６、３７、３８、３９  コネクション
４１  交換機
４２  ネットワークプロセッサ
４３  ネットワークメモリ
５１  アクセスポイント
５２  ネットワークインタフェース
５４、６２  データインタフェース
６１  サーバ
６４  変換手段
６５  判定手段
６６  サーバメモリ
７１、７２  コネクション
７３  データコネクション
７４  バス
８４  構成メモリ
８５  自己トリガ機構
【図１】
0004118411.tif 000002
【図２】
0004118411.tif 000003
【図３】
0004118411.tif 000004